(57)【要約】      （修正有）【課題】キーボードの長いキーに設けられた平衡棒のぶつかりを回避して異常音の発生を抑制することができる平衡構造を提供する。【解決手段】キーボード基板１００に設けられた１対のフック１と、キーキャップに組み合わされる横棒２及び横棒２の両端部から延伸して１対のフック１にそれぞれ組み合わされる２本の摺動棒３からなる平衡棒とを含む。キーキャップが押圧される過程又は押圧された状態から押圧されていない状態に戻る過程で、２本の摺動棒３は、横棒２の回転と共に、対応するフック１の少なくとも一方の係止口エッジを摺動する。摺動棒３が摺動する過程で、摺動棒３の対応する係止口エッジとの接触点の移動軌跡は、弧線である。摺動棒３は、摺動する過程で、対応する係止口エッジとの接触点の移動軌跡が弧線であり、移動する過程で緩衝され、フック１に直接衝突することがない。【選択図】図２
2018120843.tif 000002
【特許請求の範囲】
【請求項１】
キーボード基板（１００）に設けられた１対のフック（１）と、キーキャップに組み合わされる横棒（２）及び前記横棒（２）の両端部から延伸して１対の前記フック（１）にそれぞれ組み合わされる２本の摺動棒（３）からなる平衡棒と、を含むキーボードの長いキー用の平衡構造において、
前記キーキャップが押圧される過程又は押圧された状態から押圧されていない状態に戻る過程で、２本の前記摺動棒（３）は、前記横棒（２）の回転と共に、対応する前記フック（１）の少なくとも一方の係止口エッジ（１１）を摺動し、
前記摺動棒（３）が摺動する過程で、前記摺動棒（３）の対応する前記係止口エッジ（１１）との接触点の移動軌跡は、弧線である、
ことを特徴とするキーボードの長いキー用の平衡構造。
【請求項２】
前記摺動棒（３）は、対応する前記フック（１）の一方の前記係止口エッジ（１１）を摺動し、
前記摺動棒（３）が摺動する過程で、前記摺動棒（３）は、少なくとも一方の前記係止口エッジ（１１）の２点に同時に接触し、
且つ前記摺動棒（３）は、対応する前記係止口エッジ（１１）とは隙間なく組み合わされる、
ことを特徴とする請求項１に記載のキーボードの長いキー用の平衡構造。
【請求項３】
前記摺動棒（３）は、対応する前記フック（１）の両方の前記係止口エッジ（１１）を摺動し、
前記摺動棒（３）が摺動する過程で、両方の前記係止口エッジ（１１）のそれぞれは、少なくとも１点で前記摺動棒（３）と接触し、
且つ前記摺動棒（３）は、対応する前記係止口エッジ（１１）とは隙間なく組み合わされる、
ことを特徴とする請求項１に記載のキーボードの長いキー用の平衡構造。
【請求項４】
前記係止口エッジ（１１）と、対応する前記摺動棒（３）との組み合わせ箇所は、弧線又は凸折れ線である、
ことを特徴とする請求項２又は３に記載のキーボードの長いキー用の平衡構造。
【請求項５】
１対の前記フック（１）と２本の前記摺動棒（３）とにより、対称である２つの組み合わせ箇所を突出方向が相対するようにそれぞれ形成し、
１対の前記フック（１）の前記摺動棒（３）との組み合わせ箇所の間の距離は、２本の前記摺動棒（３）の前記フック（１）との組み合わせ箇所の間の距離以上である、
ことを特徴とする請求項４に記載のキーボードの長いキー用の平衡構造。
【請求項６】
１対の前記フック（１）と２本の前記摺動棒（３）とにより、対称である２つの組み合わせ箇所を突出方向が反対の方向を向くようにそれぞれ形成し、
１対の前記フック（１）の前記摺動棒（３）との組み合わせ箇所の間の距離は、２本の前記摺動棒（３）の前記フック（１）との組み合わせ箇所の間の距離以下である、
ことを特徴とする請求項４に記載のキーボードの長いキー用の平衡構造。
【発明の詳細な説明】
【技術分野】
【０００１】
本発明は、キーボードの特別キーの改良構造に関し、特にキーボードの長いキー用の平衡構造に関する。
【背景技術】
【０００２】
キーボードの特別キーは、比較的大きく、キーボードを使用する際の快適さを向上させるには、単独でパンタグラフ構造を用いるほか、支点となる平衡棒と組み合わせることも必要である。図１に示すように、従来の構造において、平衡棒４００は、横棒４１０と、基板１００の口字型のフック３００に組み合わされる２本の摺動棒４２０と、を含む。両者が組み合わされるとき、摺動棒４２０とフック３００との間には、四辺に隙間が形成される。キーが押圧されると、摺動棒４２０は、横棒４１０が回転するのに伴い基板のフック３００内を揺動するが、その際口字型の四辺にぶつかる。平衡棒４００、及びキーボードの基板１００は金属材料から構成されるため、両者がぶつかる際に異常音が生じる。このような問題を解決する方法として、平衡棒４００に潤滑油を塗布する方法や、基板１００に非金属材質をセットする方法がよく採用される。しかしながら、いずれの方法も、十分な効果が得られなかった。これに鑑みて、発明者は、キーボードの材質をまったく変更することなく、本発明の技術を完成させた。
【発明の概要】
【発明が解決しようとする課題】
【０００３】
本発明の目的は、従来のキーボードの特別キーに設けられた平衡棒がぶつかることによって異常音が発生するという問題に対し、平衡棒のぶつかりを回避して異常音の発生を抑制することができるキーボードの長いキー用の平衡構造を提供することである。
【課題を解決するための手段】
【０００４】
本発明のキーボードの長いキー用の平衡構造は、キーボード基板に設けられた１対のフックと、キーキャップに組み合わされる横棒及び横棒の両端部から延伸して１対のフックにそれぞれ組み合わされる２本の摺動棒からなる平衡棒とを含む。キーキャップが押圧される過程又は押圧された状態から押圧されていない状態に戻る過程で、２本の摺動棒は、横棒の回転と共に、対応するフックの少なくとも一方の係止口エッジを摺動する。摺動棒が摺動する過程で、摺動棒の対応する係止口エッジとの接触点の移動軌跡は、弧線である。
【０００５】
摺動棒が摺動するプロセスで、摺動棒の対応する係止口エッジとの接触点の移動軌跡は、弧線である。即ち、摺動棒は、摺動する過程で、係止口エッジで弧線経路に沿って移動し、その移動する過程で緩衝されるため、フックに直接衝突せず、異常音を生じない。
【０００６】
具体的に、摺動棒と係止口エッジとの組み合わせ方式は、２種類ある。
第１の方式として、摺動棒は、対応するフックの一方の係止口エッジを摺動し、摺動棒が摺動する過程で、摺動棒は、少なくとも当該一方の係止口エッジの２点に同時に接触し、且つ摺動棒は、対応する係止口エッジとは隙間なく組み合わされる。
第２の方式として、摺動棒は、対応するフックの両方の係止口エッジを摺動し、摺動棒が摺動する過程で、両方の係止口エッジのそれぞれは、少なくとも１点が摺動棒と接触し、且つ摺動棒は、対応する係止口エッジとは隙間なく組み合わされる。
【０００７】
上記２種類の方式で、摺動棒は、共に少なくとも同時に係止口エッジの２点に接触し、２点で１本の線を形成し、線の移動軌跡が曲面である。即ち、摺動棒は、摺動プロセスで、円弧経路に沿って移動する。しかも、摺動棒は、対応する係止口エッジとは隙間なく組み合わされるため、移動する過程で常に被拘束状態が保持され、係止口エッジに密着して摺動することができる。従って、摺動棒が常に係止口エッジで円弧経路に沿って移動することとなり、フックに衝突することなく、異常音が回避される。
【０００８】
係止口エッジと、対応する摺動棒との組み合わせ箇所は、弧線又は凸折れ線であることが好ましく、摺動棒は、係止口エッジに隙間なく組み合わされる状態で、係止口エッジに少なくとも２点で接触することができる。
【０００９】
１対のフックと２本の摺動棒とにより、対称である２つの組み合わせ箇所をそれぞれ形成し、摺動棒と係止口エッジとが無隙間で組み合わされる方式としては、以下の２つのケースに分けられる。
【００１０】
２つの組み合わせ箇所の突出方向が相対する場合、１対のフックの摺動棒との組み合わせ箇所の間の距離は、２本の摺動棒のフックとの組み合わせ箇所の間の距離以上である。このとき、２本の摺動棒と、対応するフックとは、締まりばめを構成するか又は両者を無隙間で組み合わせることができる。
【００１１】
２つの組み合わせ箇所の突出方向が反対の方向を向いている場合、１対のフックの摺動棒との組み合わせ箇所の間の距離は、２本の摺動棒のフックとの組み合わせ箇所の間の距離以下である。このとき、２本の摺動棒と、対応するフックとも、締まりばめを構成するか又は無隙間で組み合わせる。
【発明の効果】
【００１２】
従来技術に比較し、本発明の明らかな利点として、以下がある。本発明は、キーボード部材の材質をまったく変更しない前提で、平衡棒と基板との組み合わせ方式を変更することによって、平衡棒が摺動する過程で衝突がなく、キーボードの長いキーの使用の際に異常音が発生することを根本的に回避する。
【図面の簡単な説明】
【００１３】
【図１】従来技術において、キーボードの長いキー内の平衡棒と基板との組み合わせを示した構造模式図。
【図２】本発明のキーボードの長いキー用の平衡構造の模式図。
【図３ａ】本発明において、摺動棒と係止口エッジとを無隙間で組み合わせるための第１方式を示した図。
【図３ｂ】本発明において、摺動棒と係止口エッジとを無隙間で組み合わせるための第２方式を示した図。
【図４ａ】実施例１における左側フックの構造模式図。
【図４ｂ】実施例１において、摺動棒と左側フックとの組み合わせ箇所を示した構造模式図。
【図４ｃ】実施例１のフックの変形例を示した構造模式図。
【図４ｄ】図４ｃにおけるフックと摺動棒との組み合わせ箇所を示した構造模式図。
【図５ａ】実施例２におけるキーボードの長いキー用の平衡構造の模式図。
【図５ｂ】実施例２における左側フックの構造模式図。
【図５ｃ】実施例２において、摺動棒と左側フックとの組み合わせ箇所を示した構造模式図。
【図６ａ】実施例３において、摺動棒と左側フックとの組み合わせ箇所を示した断面構造模式図。
【図６ｂ】実施例３におけるフックの変形例を示した構造模式図。
【図７ａ】実施例４において、摺動棒と左側フックとの組み合わせ箇所を示した断面構造模式図。
【図７ｂ】実施例４におけるフックの変形例を示した正面図。
【図８ａ】実施例５における左側フックの構造模式図。
【図８ｂ】実施例５において、摺動棒と左側フックとの組み合わせ箇所を示した構造模式図。
【発明を実施するための形態】
【００１４】
以下、図面を参照しながら、本発明の技術手段を更に説明する。
【００１５】
キーボードの長いキー用の平衡構造は、図２に示すように、平衡棒と、キーボード基板１００に設けられた１対のフック１とを含む。平衡棒は、横棒２と、横棒２の両端部から延伸した２本の摺動棒３とを含む。２本の摺動棒３は、対称に形成されている。ここで、横棒２は、キーキャップに組み合わされ、２本の摺動棒３は、１対のフック１にそれぞれ組み合わされる（接続される）。キーキャップの任意位置が押圧されると、キーキャップと平衡棒は連動し、入力操作が完了する。
【００１６】
フック１は、係止溝を有している。係止溝は、溝と溝の両側の係止口エッジ１１とを含む。２本の摺動棒３は、対応するフック１の係止口エッジ１１に接触して組み合わされる。キーキャップが押される過程又は押された状態から元に戻る過程で、２本の摺動棒３は、横棒２の回転と共に、対応するフック１の少なくとも一方の係止口エッジ１１を摺動する。摺動する過程で、摺動棒３と対応する係止口エッジ１１との接触点の移動軌跡は、弧線状となる。
【００１７】
摺動棒３と係止口エッジ１１との組み合わせ方式は、２種類ある。
第１の方式として、実施例１〜４のように、摺動棒３は、対応するフック１の一方の係止口エッジ１１に摺動する。摺動する過程で、摺動棒３は、少なくとも当該一方の係止口エッジ１１の２点に同時に接触し、且つ摺動棒３は、対応する係止口エッジ１１とは隙間なく組み合わされる。
第２の方式として、実施例５のように、摺動棒３は、対応するフック１の両方の係止口エッジ１１に摺動する。摺動する過程で、両方の係止口エッジ１１のそれぞれは、少なくとも１点が摺動棒３に接触し、且つ摺動棒３は、対応する係止口エッジ１１とは隙間なく組み合わされる。
【００１８】
（実施例１）
図２、及び図４ａ〜４ｂに示すように、開口型である１対のフック１のうち、左側フックに対応する係止口エッジは逆Ｃ字状をなしており、右側フックに対応する係止口エッジはＣ字状をなしている。左摺動棒３は左のフック１の係止口エッジ１１に、右の摺動棒３は右のフック１の係止口エッジ１１に、それぞれ係止される。
【００１９】
図３ａに示すように、１対のフック１の摺動棒３との組み合わせ箇所ａ、ａ´の間の距離をＡ、２本の摺動棒３のフック１との組み合わせ箇所ｂ、ｂ´の間の距離をＢとすると、Ａ≧Ｂとすることにより、１対のフック１と摺動棒３とは隙間なく組み合わされる。ここで、Ａ＞Ｂのとき、２本の摺動棒３と対応するフック１とは、締まりばめを形成し、Ａ＝Ｂのとき、２本の摺動棒３と対応するフック１とは無隙間で組み合わされる。
【００２０】
１対のフック１と、２本の摺動棒３が互いに対称に形成されているため、摺動棒３が摺動する過程で、左右の摺動棒３と対応するフック１との組み合わせ方式は、同様である。分かりやすくするために、キーキャップが押圧される過程における、左摺動棒と左フックとの組み合わせ方式を例として説明する。
【００２１】
初期状態で、摺動棒３とフック１とは隙間なく組み合わされているため、摺動棒３の円弧面は、フック１から圧力を受け、Ｃ字型係止口エッジ１１に密着する。摺動棒３の円弧面とＣ字型係止口エッジ１１との接触は、複数の線接触を形成する。キーキャップが押圧され平衡棒の横棒２が回転すると、摺動棒３は、力を受けて当該一方の係止口エッジ１１を摺動すると共に、係止口エッジ１１に密着する。これにより、摺動棒３と係止口エッジ１１との線接触が保持される。キーキャップの押圧状態が解除され初期状態に復帰するとき、摺動棒３は、自身に作用する弾性力により、初期状態に復帰するために移動する過程で、引き続き係止口エッジ１１に密着し係止口エッジ１１との線接触が保持される。即ち、摺動棒３は、係止口エッジ１１に摺動する全ての過程で被拘束状態が保持され、且つＣ字型と逆Ｃ字型係止口エッジによって、摺動棒３が摺動する際の軌跡は弧状の移動軌跡となる。よって、摺動棒３が摺動する過程で、係止口エッジ１１との任意の接触点が移動する軌跡は、いずれも弧線となる。摺動棒３が、係止口エッジ１１で弧線に沿って移動するため、一定の緩衝作用が発揮され、フック１に衝突することなく、異常音が生じることがない。
【００２２】
図４ａ、４ｂにおけるフック１は、Ｃ字型に限定されず、他の種類の構造を採用してもよい。図４ｃ〜４ｄは、本実施例におけるフックの１つの変形例である。図では、係止口エッジ１１がｎ形状であり、摺動棒３に組み合わされる部分は、係止口エッジ１１の弧状部分である。このほか、本実施例におけるフック１は、更に多種類の変形を有してもよく、摺動棒３と組み合わせる弧状部分がフック１の係止口エッジ１１に存在すればよい。
【００２３】
（実施例２）
図５ａ〜５ｂに示すように、本実施例におけるフック形状は、実施例１のものとは同一であるが、フック１と摺動棒３とを組み合わせる方式が、実施例１とは異なる。本実施例において、左側フックに対応する係止口エッジは、Ｃ字型であり、右側フックに対応する係止口エッジは、逆Ｃ字型である。図５ａ〜５ｂは、左側摺動棒と左側フックとの組み合わせ部分を示す図である。
【００２４】
図３ｂに示すように、１対のフック１の摺動棒３との組み合わせ箇所ａ、ａ´の間の距離をＡ、２本の摺動棒３のフック１との組み合わせ箇所ｂ、ｂ´の間の距離をＢとすると、Ａ≦Ｂとすることにより、１対のフック１と摺動棒３とは隙間なく組み合わされる。ここで、Ａ＜Ｂのとき、２本の摺動棒３と対応するフック１とは、締まりばめを形成し、Ａ＝Ｂのとき、２本の摺動棒３と対応するフック１とは無隙間で組み合わされる。
【００２５】
実施例１と同一の原理により、キーキャップが上下移動している間、摺動棒３は、常に被拘束状態が保持される。摺動棒３は、係止口エッジ１１で弧線に沿って移動するため、一定の緩衝作用が発揮され、フック１に衝突することなく、異常音が生じることがない。
【００２６】
同様に、図５ａ〜５ｂにおけるフック１は、その形状を他の種類の方式を採用してもよく、その場合、摺動棒３と組み合わせる弧状部分をフック１の係止口エッジ１１に存在させるようにすればよい。
【００２７】
（実施例３）
図６ａに示すように、開口型である１対のフック１は、係止口エッジ１１が屈曲した凸折れ線であり、左、右のフックの係止口エッジの突出部が相対し、２本の摺動棒３と対応するフック１とは隙間なく組み合わされている。よって、摺動棒３は、フック１の圧力又は自身に作用した弾性力によって、常に被拘束状態が保持され、その間は、無隙間で組み合わされる。このような点は実施例１と同様である。
【００２８】
２本の摺動棒３は、それぞれ１対のフック１の一方の係止口エッジ１１に摺動する。左側摺動棒と左側フックの組み合わせを例にして説明する。初期状態で、摺動棒３と係止口エッジ１１とは、２つの接触点ｃ、ｄで接触する。キーキャップが押圧されると、摺動棒３は摺動し、摺動棒３の摺動に伴い２つの接触点は移動する。摺動棒が摺動する過程で、２つの接触点ｃ、ｄは、係止口エッジ１１の凸折れ線領域内に移動し、その移動軌跡は弧線となる。即ち、摺動棒３は、係止口エッジ１１で弧線に沿って移動し、一定の緩衝作用が発揮され、フック１に衝突することなく、異常音が生じることがない。
【００２９】
同様に、図６ａにおけるフック１は、その形状を他の種類の形状としてもよい。その場合、図６ｂに示すように、摺動棒３と組み合わせる凸折れ線部分を係止口エッジ１１に存在させるようにすればよい。
【００３０】
（実施例４）
図７ａに示すように、１対のフック１の形状は、実施例３と似ており、いずれも凸折れ線形状であるが、相違点として、左右フックの係止口エッジの折れ線部の突出方向は反対の方向を向いており、フック１と摺動棒３とが無隙間で組み合わされる点は、実施例２と同一である。
【００３１】
図７ｂは、本実施例におけるフックの１つの変形例であり、その係止口エッジが六角形であり、係止口エッジの左右両側の凸折れ線部分のいずれも、摺動棒３と組み合わせることができる。
【００３２】
（実施例５）
図８ａ〜８ｂに示すように、１対のフック１の係止口エッジ１１は、共に閉じ円形状をなしており、摺動棒３は、対応するフック１の両方の係止口エッジ１１のそれぞれ１点に接触する。図８ｂは、左側フックと摺動棒との組み合わせ箇所を示した図である。本実施例において、フック１と摺動棒３とが無隙間で組み合わされる点は、実施例１と同一である。
【００３３】
キーキャップの上下移動に伴い、摺動棒３は両方の係止口エッジ１１を摺動する。摺動する過程で、摺動棒３は、常に両方の係止口エッジ１１と接触しており、被拘束状態が保持される。しかも両側の円形の係止口エッジに摺動する摺動棒３の移動軌跡は、弧状の軌跡となる。即ち、摺動棒３の係止口エッジ１１との接触点の移動軌跡は、弧線となる。摺動棒３は、係止口エッジ１１で弧線に沿って移動し、一定の緩衝作用が発揮され、フックに衝突することなく、異常音が生じることがない。
【００３４】
（付記）
（付記１）
キーボード基板（１００）に設けられた１対のフック（１）と、キーキャップに組み合わされる横棒（２）及び前記横棒（２）の両端部から延伸して１対の前記フック（１）にそれぞれ組み合わされる２本の摺動棒（３）からなる平衡棒と、を含むキーボードの長いキー用の平衡構造において、
前記キーキャップが押圧される過程又は押圧された状態から押圧されていない状態に戻る過程で、２本の前記摺動棒（３）は、前記横棒（２）の回転と共に、対応する前記フック（１）の少なくとも一方の係止口エッジ（１１）を摺動し、
前記摺動棒（３）が摺動する過程で、前記摺動棒（３）の対応する前記係止口エッジ（１１）との接触点の移動軌跡は、弧線である、
ことを特徴とするキーボードの長いキー用の平衡構造。
【００３５】
（付記２）
前記摺動棒（３）は、対応する前記フック（１）の一方の前記係止口エッジ（１１）を摺動し、
前記摺動棒（３）が摺動する過程で、前記摺動棒（３）は、少なくとも一方の前記係止口エッジ（１１）の２点に同時に接触し、
且つ前記摺動棒（３）は、対応する前記係止口エッジ（１１）とは隙間なく組み合わされる、
ことを特徴とする付記１に記載のキーボードの長いキー用の平衡構造。
【００３６】
（付記３）
前記摺動棒（３）は、対応する前記フック（１）の両方の前記係止口エッジ（１１）を摺動し、
前記摺動棒（３）が摺動する過程で、両方の前記係止口エッジ（１１）のそれぞれは、少なくとも１点で前記摺動棒（３）と接触し、
且つ前記摺動棒（３）は、対応する前記係止口エッジ（１１）とは隙間なく組み合わされる、
ことを特徴とする付記１に記載のキーボードの長いキー用の平衡構造。
【００３７】
（付記４）
前記係止口エッジ（１１）と、対応する前記摺動棒（３）との組み合わせ箇所は、弧線又は凸折れ線である、
ことを特徴とする付記２又は３に記載のキーボードの長いキー用の平衡構造。
【００３８】
（付記５）
１対の前記フック（１）と２本の前記摺動棒（３）とにより、対称である２つの組み合わせ箇所を突出方向が相対するようにそれぞれ形成し、
１対の前記フック（１）の前記摺動棒（３）との組み合わせ箇所の間の距離は、２本の前記摺動棒（３）の前記フック（１）との組み合わせ箇所の間の距離以上である、
ことを特徴とする付記４に記載のキーボードの長いキー用の平衡構造。
【００３９】
（付記６）
１対の前記フック（１）と２本の前記摺動棒（３）とにより、対称である２つの組み合わせ箇所を突出方向が反対の方向を向くようにそれぞれ形成し、
１対の前記フック（１）の前記摺動棒（３）との組み合わせ箇所の間の距離は、２本の前記摺動棒（３）の前記フック（１）との組み合わせ箇所の間の距離以下である、
ことを特徴とする付記４に記載のキーボードの長いキー用の平衡構造。
【図１】
2018120843.tif 000003
【図２】
2018120843.tif 000004
【図３ａ】
2018120843.tif 000005
【図３ｂ】
2018120843.tif 000006
【図４ａ】
2018120843.tif 000007
【図４ｂ】
2018120843.tif 000008
【図４ｃ】
2018120843.tif 000009
【図４ｄ】
2018120843.tif 000010
【図５ａ】
2018120843.tif 000011
【図５ｂ】
2018120843.tif 000012
【図５ｃ】
2018120843.tif 000013
【図６ａ】
2018120843.tif 000014
【図６ｂ】
2018120843.tif 000015
【図７ａ】
2018120843.tif 000016
【図７ｂ】
2018120843.tif 000017
【図８ａ】
2018120843.tif 000018
【図８ｂ】
2018120843.tif 000019